(57)【要約】【課題】電線群の立体的に曲がって配索される曲がり部の保護について、平面方向に曲がる曲がり部の保護に続いて下方向に曲がる曲がり部を下方向に曲げずに平面展開状態で位置決めし、その後に下方向に曲げて保護することができ、図板上の置き換え作業を省略することができるプロテクタおよびワイヤハーネスを提供すること。【解決手段】電線群２の水平方向に曲がる第１の曲がり部２ａを保護する第１の曲がり部用保護部１１と下方向に曲がる第２の曲がり部２ｂを保護する第２の曲がり部用保護部１２と、第１の蓋部１３と、第２の蓋部１４と、第１の係止部１９と、を備え、第１の蓋部１３は、第１の曲がり部用保護部１１に一体連結され、かつ閉じてロックされ、第２の蓋部１４は、第１の蓋部１３と同一平面に展開された一体形状であって、かつ第１の蓋部１３の閉蓋後に下方向に曲げられて閉じロックされ、第２の蓋部１４には第２の係止部２１を備えている。【選択図】図１
2016119740.tif 000002
【特許請求の範囲】
【請求項１】
電線群の平面方向に曲がりさらに下方向に曲がって配索される曲がり部を保護するプロテクタであって、
前記電線群の水平方向に曲がる第１の曲がり部を収容し三方を閉塞するように断面凹溝状に形成された第１の曲がり部用保護部と、
前記第１の曲がり部用保護部の一端より下方向に一体に延びていて、前記電線群の前記下方向に曲がる第２の曲がり部を収容し三方を閉塞するように断面凹溝状に形成された第２の曲がり部用保護部と、
前記第１の曲がり部用保護部の開放面を閉じる第１の蓋部と、
前記第２の曲がり部用保護部の開放面を閉じる第２の蓋部と、
前記第１の曲がり部用保護部の他端部に設けられ、前記電線群を保護する第１のコルゲートチューブの一端部または前記電線群を位置決めする第１の係止部と、を備え、
前記第１の蓋部は、ヒンジ部を介して前記第１の曲がり部用保護部の側面上縁部に一体連結され、かつ閉蓋時に前記第１の曲がり部用保護部との相互間に設けられる第１の蓋閉じ手段でロックされるよう構成され、
前記第２の蓋部は、前記第１の蓋部に対し折れ曲がり可能に前記第１の蓋部と同一平面に展開された一体形状であって、かつ前記第１の蓋部の閉蓋後に前記下方向に曲げられて前記第２の曲がり部用保護部に対し閉蓋状態になり、前記第２の曲がり部用保護部との相互間に設けられる第２の蓋閉じ手段でロックされるよう構成され、
前記第２の蓋部の前記第１の蓋部との連結側と反対側の端部には、前記第１の曲がり部用保護部に収容される前記電線群を保護する第２のコルゲートチューブの一端部または前記電線群を位置決めする第２の係止部を備えている、
ことを特徴とするプロテクタ。
【請求項２】
前記第１の係止部は、前記第１の曲がり部用保護部に収容される前記第１のコルゲートチューブの谷部に進入し前記第１のコルゲートチューブを係止するように設けられていることを特徴とする請求項１に記載のプロテクタ。
【請求項３】
前記第１の係止部は、前記第１の曲がり部用保護部に収容される前記第１のコルゲートチューブまたは前記電線群をテープ巻きにより係止するテープ巻用係止部として設けられていることを特徴とする請求項１または２に記載のプロテクタ。
【請求項４】
前記第２の係止部は、前記第１の蓋部と合わせて一平面に開いた状態の前記第２の蓋部に設けられたＵバンド部に設けられ、該Ｕバンド部に支持される前記第２のコルゲートチューブの谷部に進入し前記第２のコルゲートチューブを係止するように設けられていることを特徴とする請求項１または２に記載のプロテクタ。
【請求項５】
前記第２の係止部は、前記第１の蓋部と同一平面に展開した状態の前記第２の蓋部の内面側に当接される前記第２のコルゲートチューブまたは前記電線群をテープ巻きにより係止するテープ巻用係止部として設けられていることを特徴とする請求項１ないし４のいずれか１項に記載のプロテクタ。
【請求項６】
請求項１ないし５のいずれか１項に記載のプロテクタと、
前記プロテクタに立体的に曲がって収容される電線群と、
前記電線群の前記プロテクタの一端内部より水平方向の外方に延びている部分を被覆し、前記プロテクタ側の一端が前記プロテクタの前記第１の係止部において係合またはテープ巻きにより位置決めされている第１のコルゲートチューブと、
前記電線群の前記プロテクタの他端内部より下方向外方に延びている部分を被覆し、前記プロテクタ側の一端が前記プロテクタの前記第２の係止部において係合またはテープ巻きにより位置決めされている第２のコルゲートチューブと、を備えていることを特徴とするワイヤハーネス。
【請求項７】
請求項１ないし５のいずれか１項に記載のプロテクタと、
前記プロテクタに立体的に曲がって収容され、前記プロテクタの両端部に備える前記第１の係止部および前記第２の係止部においてテープ巻きにより位置決めされる電線群と、を備えていることを特徴とするワイヤハーネス。
【発明の詳細な説明】
【技術分野】
【０００１】
本発明は、電線群の三次元方向に変化する曲がり部を保護するプロテクタ、およびこのプロテクタを有するワイヤハーネスに関する。
【背景技術】
【０００２】
ワイヤハーネスは、車両の配設される複数の電子部品同士の間、並びに各電子部品とバッテリとアースの相互間を繋ぐように配索されるものであり、ワイヤハーネス支持体となる車両内の車体フレームに沿って隠蔽された隙間空間を通すように立体的に配索される。
【０００３】
ワイヤハーネスは、フレームや装備品に当接して断線する恐れがある箇所では、プロテクタで電線群を保護するように構成され、電線群の三次元方向に変化する曲がり部では、該曲がり部に対応した立体的保護空間を有するよう形成された既に知られているプロテクタ（例えば、特許文献１，２）で電線群を保護するように構成されている。
【０００４】
図８は、特許文献１に開示されたプロテクタと実質同一のプロテクタを示すもので、このプロテクタ４０は、収容空間が立体的に変化するプロテクタ本体４１と、分離蓋４２とで、電線群４３を収容し保護する構成である。プロテクタ本体４１は、電線群４３の水平折り曲がり部分を収容する断面凹溝状の水平折り曲がり部４４と、蓋体４５ａを一体に有し電線群４３の垂直折り曲がり部分を収容する断面凹溝状の垂直折り曲がり部４５とを有し、水平折り曲がり部４４と垂直折り曲がり部４５とに二つ割りに開いたチューブ挟持部４６，４７を有している。
【０００５】
また図９は、特許文献２に開示されたプロテクタと実質同一のプロテクタを示すもので、このプロテクタ５０は、水平から垂直下方に曲がる電線群５１の曲がり部を収容し保護するプロテクタである。このプロテクタ５０は、一直線に成形された、断面凹溝状の電線群水平部用収容部５２と、折れ曲がり部５３と、断面凹溝状の電線群垂下部用収容部５４とに、電線群５１を直線状に収容し、収容部５２，５４に電線群５１を収容した状態を保って折れ曲がり部５３を折り曲げて、電線群垂下部用収容部５４にヒンジ５５で繋がっている垂直蓋５６を閉じてロックするとともに、垂直蓋５６と一体のエルボ形カバー５７を折れ曲がり部５３に対応する部分に被せ、エルボ形カバー５７にヒンジ５８で繋がっている一体に繋がっている水平蓋５９を閉じてロックするように構成されている。
【先行技術文献】
【特許文献】
【０００６】
【特許文献１】実用新案登録第２５８７８８４号公報
【特許文献２】特開２００３−１３４６３４号公報
【発明の概要】
【発明が解決しようとする課題】
【０００７】
ところで、電線群の製作は、装着対象の車両における実際の配索経路を図板上で実寸法で位置関係を測定して必要箇所にそれぞれＹ字形の係止ピンを立て付け、係止ピンの二股部に係止するように電線を１本ずつ配索し、または別途に部分組み立てした電線群の一部を係止ピンに係止するように位置決めし、電線群の位置決めした要保護部に対してコルゲートチューブやプロテクタを被せている。
【０００８】
したがって、特許文献１，２に開示されたプロテクタ４０，５０を用いて図板上で電線群を立体的に曲がった状態に配索するには、電線群を水平面内に二次元方向に配索するだけでなく、垂直下方に延びる部分を配索するために、図板上に電線群を置き換える作業を行っている。
【０００９】
詳述すると、図板上で先にＸ−Ｙ軸方向の配索を行い、Ｘ−Ｙ軸方向の配索を終えた時点で、Ｘ−Ｙ軸方向の配索状態を寸法が変化しないように補助板等を用いて固定し、その後に電線群を図板から取り外し、図板上にＹ軸方向の配索に必要なＹ字形の係止ピンを寸法採りした所要位置に立て付け、図板に対して９０度向きを変えた電線群を再度、取り付けて配索するという作業を行っている。
【００１０】
このため、電線群のＺ軸方向に曲がった部分である要保護部分に特許文献１，２に開示されたプロテクタを装着する作業には、図板上に電線群を置き換える作業が伴うので、ワイヤハーネスの製作に手間と時間がかかり、作業効率が低い原因となっている。
【００１１】
本発明は、上述のような課題を解決するためになされたもので、電線群の立体的に曲がって配索される曲がり部の保護について、平面方向に曲がる曲がり部の保護に続いて下方向に曲がる曲がり部を下方向に曲げずに平面展開状態で位置決めし、その後に下方向に曲げて保護することができ、図板上の置き換え作業を省略することができるプロテクタおよびワイヤハーネスを提供することを目的とする。
【課題を解決するための手段】
【００１２】
本発明に係るプロテクタは、上記目的達成のため、電線群の平面方向に曲がりさらに下方向に曲がって配索される曲がり部を保護するプロテクタであって、前記電線群の水平方向に曲がる第１の曲がり部を収容し三方を閉塞するように断面凹溝状に形成された第１の曲がり部用保護部と、前記第１の曲がり部用保護部の一端より下方向に一体に延びていて、前記電線群の前記下方向に曲がる第２の曲がり部を収容し三方を閉塞するように断面凹溝状に形成された第２の曲がり部用保護部と、前記第１の曲がり部用保護部の開放面を閉じる第１の蓋部と、前記第２の曲がり部用保護部の開放面を閉じる第２の蓋部と、前記第１の曲がり部用保護部の他端部に設けられ、前記電線群を保護する第１のコルゲートチューブの一端部または前記電線群を位置決めする第１の係止部と、を備え、前記第１の蓋部は、ヒンジ部を介して前記第１の曲がり部用保護部の側面上縁部に一体連結され、かつ閉蓋時に前記第１の曲がり部用保護部との相互間に設けられる第１の蓋閉じ手段でロックされるよう構成され、前記第２の蓋部は、前記第１の蓋部に対し折れ曲がり可能に前記第１の蓋部と同一平面に展開された一体形状であって、かつ前記第１の蓋部の閉蓋後に前記下方向に曲げられて前記第２の曲がり部用保護部に対し閉蓋状態になり、前記第２の曲がり部用保護部との相互間に設けられる第２の蓋閉じ手段でロックされるよう構成され、前記第２の蓋部の前記第１の蓋部との連結側と反対側の端部には、前記第１の曲がり部用保護部に収容される前記電線群を保護する第２のコルゲートチューブの一端部または前記電線群を位置決めする第２の係止部を備えている構成である。
【００１３】
上記構成のプロテクタによれば、図板上での電線群の配索において、第１の曲がり部用保護部に水平方向に曲がる曲がり部を収容してから、第１の係止部で電線群を保護する第１のコルゲートチューブの一端部または電線群を位置決めするとともに、第２の係止部で電線群を保護する前記第２のコルゲートチューブの一端部または電線群を位置決めし、第１の蓋部を閉じて、第１の蓋閉じ手段で第１の曲がり部用保護部と第１の蓋部とをロックする。図板から電線群とプロテクタとを取り外し、第２の蓋部を下方向に曲げることにより第２の蓋部に沿っている電線群を第２の曲がり部用保護部に収容するとともに、第２の蓋部を閉じて、第２の蓋閉じ手段で第２の曲がり部用保護部と第２の蓋部とをロックする。
【００１４】
このように、図板上で電線群を配索するには、電線群の下側に曲がる曲がり部が、電線群の水平に曲がる曲がり部に続いて、水平面に展開された第２の蓋部に位置決めされるので、電線群の水平に曲がる曲がり部を第１の曲がり部用保護部と第１の蓋部とで保護したら、第２の蓋部を下方向に曲げることにより、電線群の下側に曲がる曲がり部を第２の曲がり部用保護部と第２の蓋部とで保護することができ、図板上に電線群を置き換える作業を回避できる。
【００１５】
前記第１の係止部は、前記第１の曲がり部用保護部に収容される前記第１のコルゲートチューブの谷部に進入し前記第１のコルゲートチューブを係止するように設けられた構成とするのがよい。
【００１６】
この構成により、第１の曲がり部用保護部に電線群を収容するとともに、電線群を保護する第１のコルゲートチューブの一端部を第１の曲がり部用保護部内に位置させると、第１の係止部が第１のコルゲートチューブの谷部に進入して係合し、第１の蓋部を閉じることにより、第１のコルゲートチューブの軸方向の移動が不能になり、プロテクタにおける水平側の端部における電線群の位置決めが行える。
【００１７】
前記第１の係止部は、前記第１の曲がり部用保護部に収容される前記第１のコルゲートチューブまたは前記電線群をテープ巻きにより係止するテープ巻用係止部として設けられた構成とするのがよい。
【００１８】
この構成により、第１の曲がり部用保護部に電線群を収容するとともに、第１の係止部において、第１のコルゲートチューブまたは電線群をテープ巻きすることにより、第１のコルゲートチューブの軸方向の移動が不能になり、プロテクタにおける水平側の端部における電線群の位置決めが行える。
【００１９】
前記第２の係止部は、前記第１の蓋部と合わせて一平面に開いた状態の前記第２の蓋部に設けられたＵバンド部に設けられ、該Ｕバンド部に支持される前記第２のコルゲートチューブの谷部に進入し前記第２のコルゲートチューブを係止するように設けられている構成とするのがよい。
【００２０】
この構成により、Ｕバンド部に、電線群を保護する第２のコルゲートチューブの一端部を合わせると、第２の係止部が第２のコルゲートチューブの谷部に進入して係合し、Ｕバンド部を下から支えて第１の蓋部を閉じると、第２の蓋部も回動してＵバンド部と重なり、プロテクタにおける下側の端部における電線群の位置決めが水平位置にて行える。
【００２１】
前記第２の係止部は、前記第１の蓋部と同一平面に展開した状態の前記第２の蓋部の内面側に当接される前記第２のコルゲートチューブまたは前記電線群をテープ巻きにより係止するテープ巻用係止部として設けられた構成とするのがよい。
【００２２】
この構成により、第１の蓋部と同一平面に展開した状態の第２の蓋部の内面側に当接される第２のコルゲートチューブまたは電線群をテープ巻きすることにより、第２のコルゲートチューブの軸方向の移動が不能になり、プロテクタにおける水平側の端部における電線群の位置決めが行える。
【００２３】
本発明に係るワイヤハーネスは、上記目的達成のため、上述した構成のプロテクタと、前記プロテクタに立体的に曲がって収容される電線群と、前記電線群の前記プロテクタの一端内部より水平方向の外方に延びている部分を被覆し、前記プロテクタ側の一端が前記プロテクタの前記第１の係止部において係合またはテープ巻きにより位置決めされている第１のコルゲートチューブと、前記電線群の前記プロテクタの他端内部より下方向外方に延びている部分を被覆し、前記プロテクタ側の一端が前記プロテクタの前記第２の係止部において係合またはテープ巻きにより位置決めされている第２のコルゲートチューブと、を備えている構成である。
【００２４】
この構成のワイヤハーネスによれば、図板上で電線群を配索するには、先ず、図板上に所要配置に立て付けた複数のＹ字形の係止ピンのＹ字部に複数の電線群を１本ずつ配索して電線群を形成し、この電線群の平面方向に曲がりさらに下方向に曲がって配索される曲がり部の両側を第１のコルゲートチューブと第２のコルゲートチューブとで保護し、次いで、電線群の水平方向に曲がる曲がり部を第１の曲がり部用保護部に収容し、かつ第１のコルゲートチューブを第１の係止部で係止し、第１の蓋部を閉じることにより、電線群の水平方向に曲がる曲がり部を第１の曲がり部用保護部と第１の蓋部とで保護することができる。続いて、第１の蓋部と同一平面に位置する第２の蓋部の下面に、電線群の下方向に曲がる曲がり部を下側に曲げず平面展開のままで第２の蓋部に合わせ、第２の係止部で第２のコルゲートチューブを係止することにより、第２のコルゲートチューブの位置決めを平面展開した位置で行うことができ、次いで、第２の蓋部を下方向に曲げて閉じることにより、電線群の下方向に曲がる曲がり部を第２の曲がり部用保護部と第２の蓋部とで保護することができる。もって、図板上に電線群を置き換える作業を回避できる。
【００２５】
また本発明に係る他のワイヤハーネスは、上記目的達成のため、上述した構成のプロテクタと、前記プロテクタに立体的に曲がって収容され、前記プロテクタの両端部に備える前記第１の係止部および前記第２の係止部においてテープ巻きにより位置決めされる電線群と、を備えている構成である。
【００２６】
この構成のワイヤハーネスによれば、プロテクタの両側でコルゲートチューブによる電線群の保護を必要としない配索条件において使用されるもので、電線群のプロテクタより両側の延びる部分には、テープ巻きが行われ、電線群の位置決めを行うことができ、電線群の水平方向に曲がる曲がり部を第１の曲がり部用保護部と第１の蓋部とで保護することができるとともに、電線群の下方向に曲がる曲がり部を第２の曲がり部用保護部と第２の蓋部とで保護することができる。もって、図板上に電線群を置き換える作業を回避できる。
【発明の効果】
【００２７】
本発明によれば、図板上での電線群の配索において、電線群の立体的に曲がって配索される曲がり部の保護について、平面方向に曲がる曲がり部の保護に続いて下方向に曲がる曲がり部を下方向に曲げずに平面展開状態で位置決めし、その後に下方向に曲げて保護することができ、図板上の置き換え作業を省略することができるプロテクタおよびワイヤハーネスを提供することができる。
【図面の簡単な説明】
【００２８】
【図１】本発明の第１の実施の形態に係るプロテクタを、蓋部を開いた状態で示す斜視図である。
【図２】本発明の第１の実施の形態に係るワイヤハーネスを、蓋部を開いた状態で示す平面図である。
【図３】本発明の第１の実施の形態に係るプロテクタを、蓋部を開いた状態で示す平面図である。
【図４】本発明の第１の実施の形態に係るワイヤハーネスを、プロテクタの第１の蓋部を閉じた状態で示す正面図である。
【図５】本発明の第１の実施の形態に係るワイヤハーネスを、プロテクタの蓋部を閉じた状態で示す正面図である。
【図６】第２の実施の形態のワイヤハーネスに係るプロテクタを示す平面図である。
【図７】第３の実施の形態のワイヤハーネスに係るプロテクタを示す平面図である。
【図８】従来例に係るプロテクタを示す分解斜視図である。
【図９】他の従来例に係るプロテクタを示す分解斜視図である。
【発明を実施するための形態】
【００２９】
次に、本発明に係る実施の形態について図面を参照して説明する。
【００３０】
（第１の実施の形態）
【００３１】
本実施の形態に係るワイヤハーネスの構成を図１〜図５を参照して説明する。
図１、図２に示すように、ワイヤハーネス１は、電線群２と、電線群２の平面方向に曲がりさらに下方向に曲がって配索される曲がり部を保護するプロテクタ１０と、プロテクタ１０の両側で電線群２を保護する第１のコルゲートチューブ３および第２のコルゲートチューブ４と、を備えている。
【００３２】
ワイヤハーネス１は、電線群２が、プロテクタ１０で保護される箇所の両側部分を合成樹脂製の第１のコルゲートチューブ３および第２のコルゲートチューブ４で保護され、第１のコルゲートチューブ３の一端部、および第２のコルゲートチューブ４の一端部をプロテクタ１０の水平側の端部と垂下側の端部にそれぞれ入り込んだ状態に係止される。
【００３３】
電線群２は、複数の被覆電線よりなるが、幹線と枝線のいずれであってもよい。
【００３４】
図１〜図３に示すように、プロテクタ１０は、例えばポリプロピレン、ポリエチレンなどの合成樹脂材により成形されており、第１の曲がり部用保護部１１と、第２の曲がり部用保護部１２と、第１の蓋部１３と、第２の蓋部１４と、第１の係止部１９と、後述する雌雄複数対の第１および第２の蓋閉じ手段とを備え、さらにこの実施の形態では、第２の蓋部１４にＵバンド部２０を備え、該Ｕバンド部２０に第２の係止部２１を備えている。
【００３５】
第１の曲がり部用保護部１１は、底面部と底面部を囲む左右の側面部により垂直断面が凹溝状の電線群収容空間１１ａを有して形成されている。電線群収容空間１１ａは、平面視において電線群２の水平方向に曲がった第１の曲がり部２ａに対応した二次元空間に形成されている。したがって、第１の曲がり部用保護部１１は、電線群収容空間１１ａに電線群２の水平方向に曲がる第１の曲がり部２ａを収容して保護するようになっている。
【００３６】
第１の曲がり部用保護部１１には、水平側の端部内に位置して複数のリブ状の第１の係止部１９を備えている。第１の係止部１９は、電線群２を保護して第１の曲がり部用保護部１１の水平側の端部内に入り込むように位置される第１のコルゲートチューブ３の一端部の谷部に進入し、第１のコルゲートチューブ３の軸方向移動を拘束して位置決めするようになっている。
【００３７】
図１に示すように、第２の曲がり部用保護部１２は、第１の曲がり部用保護部１１の第２のコルゲートチューブ４寄りの端部から、第１の曲がり部２ａの底面部と左右の側面部がそのまま下方向に折れ曲がるように対応している３つの立面壁部により水平断面が凹溝状の電線群収容空間１２ａを有して形成されている。したがって、第２の曲がり部用保護部１２は、電線群収容空間１２ａに電線群２の第１の曲がり部２ａより下方向に曲がる第２の曲がり部２ｂを収容して保護するようになっている。第２の曲がり部用保護部１２の下端部には第３の係止部３３が設けられている。なお、第１の曲がり部用保護部１１と第２の曲がり部用保護部１２は補強リブ３６で下面側を補強されている。
【００３８】
第１の蓋部１３は、第１の曲がり部用保護部１１の開放面を閉じるように対応した二次元に曲がった形状であり、第１の曲がり部用保護部１１の、第２の曲がり部用保護部１２側の一辺上縁部にヒンジ部１５を介して開いた状態に一体連結されている。
【００３９】
ヒンジ部１５は、第１の蓋部１３が下方へ垂れてしまう方向と逆方向にのみ屈曲可能であるように設けられていることにより、第１の蓋部１３が下方へ垂れてしまうことがないように片持ち状態に支持している。
【００４０】
図１〜図３に示すように、第１の曲がり部用保護部１１には、雌型の第１の蓋閉じ手段２２ａ〜２６ａを備え、第１の蓋部１３には、雌型の第１の蓋閉じ手段２２ａ〜２６ａに対応して雄型の第１の蓋閉じ手段２２ｂ〜２６ｂを備えている。第２の曲がり部用保護部１２には、雌型の第２の蓋閉じ手段２７ａ〜３０ａを備え、第２の蓋部１４には、雌型の第２の蓋閉じ手段２７ａ〜３０ａに対応して雄型の第２の蓋閉じ手段２７ｂ〜３０ｂを備えている。
【００４１】
第１の蓋部１３は、ヒンジ部１５より折り曲げられると、第１の曲がり部用保護部１１の開放面を閉じるようになっており、このとき、雌型の第１の蓋閉じ手段２２ａ〜２６ａと雄型の第１の蓋閉じ手段２２ｂ〜２６ｂとがそれぞれ嵌合ロックされるようになっている。
【００４２】
図１〜図３に示すように、第２の蓋部１４は、第２の曲がり部用保護部１２の開放面を閉じるように対応した形状である。第２の蓋部１４は、第２の曲がり部用保護部１２にヒンジで繋がっているのではなく、第１の蓋部１３に対し折れ曲がり可能な薄肉部１６にて第１の蓋部１３と同一平面に展開された一体形状である。第２の蓋部１４は、薄肉部１６において第１の蓋部１３と繋がっているので、第１の蓋部１３を閉じた後に、第１の蓋部１３に対して薄肉部１６より下方向へ折り曲げ可能である。
【００４３】
第２の蓋部１４は、第１の蓋部１３を閉じた後に下方向に曲げられると、第２の曲がり部用保護部１２の開放面を閉じるようになっており、このとき、雌型の第２の蓋閉じ手段２７ａ〜３０ａと雄型の第２の蓋閉じ手段２７ｂ〜３０ｂとがそれぞれ嵌合ロックされるようになっている。
【００４４】
図１〜図３に示すように、第２の蓋部１４には、第１の蓋部１３と第２の蓋部１４とが同一平面を保って開いた状態において、第２の蓋部１４に対して開いた状態にＵバンド部２０を備えている。Ｕバンド部２０は、ヒンジ部３１を介して第２の蓋部１４に支持されている。
【００４５】
ヒンジ部３１は、Ｕバンド部２０が下方へ垂れてしまう方向と逆方向にのみ屈曲可能であるように設けられていることにより、Ｕバンド部２０が下方へ垂れてしまうことがないように片持ち状態に支持している。ヒンジ部３１は折り曲げられる線が、ヒンジ部１５が折り曲げられる線と一直線上にある。
【００４６】
Ｕバンド部２０は、第１の蓋部１３と第２の蓋部１４とが同一平面を保って開いた状態で、かつ、第２の蓋部１４に対して開いた状態において、第１の曲がり部用保護部１１に収容される電線群２を下方へ折り曲げないで、水平方向に延ばすことにより、該電線群２を収容して受け止められるようになっている。
【００４７】
Ｕバンド部２０には複数の円弧リブ状の第２の係止部２１が設けられている。第２の係止部２１は、電線群２を保護してＵバンド部２０に受け止められる第２のコルゲートチューブ４の谷部に進入し、第２のコルゲートチューブ４の軸方向移動を拘束して位置決めするようになっている。
【００４８】
Ｕバンド部２０には雄型のバンドロック手段３２ａが備えられ、また第２の蓋部１４には雌型のバンドロック手段３２ｂが備えられ、ヒンジ部３１を屈折してＵバンド部２０と第２の蓋部１４とを閉じ合わせたときに、バンドロック手段３２ａ，３２ｂが係合ロックするようになっている。
【００４９】
上記構成のワイヤハーネス１を図板上で製作するには、先ず、図板上の所定位置にプロテクタ１０を配置するとともに、図示しない複数のＹ字形の係止ピンを所要配置に立て付けける。次いで、電線群を構成する複数の電線群を１本ずつ順に、Ｙ字形の係止ピンのＹ字部に係止するともに、プロテクタ１０の第１の曲がり部用保護部１１によって形成される電線群収容空間１１ａ内を通し、Ｕバンド部２０の上に通して図１に示す電線群２を形成し、テープで粗巻きする。
【００５０】
この段階で形成される電線群２は、下方向に曲がって配索される曲がり部を有していない。そして、図１に示すように、電線群２の両側を第１のコルゲートチューブ３と第２のコルゲートチューブ４とで保護する。なお、プロテクタ１０を設けない別の図板上で、図１に示す略２次元に曲がった形状の電線群２を作り、該電線群２を図板から取り外してプロテクタ１０を設けた図板上で製作を続けるようにしてもよい。
【００５１】
図２に示すように、電線群２に被せた第１のコルゲートチューブ３の端部を第１の曲がり部用保護部１１に収容すると、第１の係止部１９が第１のコルゲートチューブ３の端部を位置決めロックした状態になる。また、電線群２に被せた第２のコルゲートチューブ４の端部をＵバンド部２０の上に載置すると、第２の係止部２１が第２のコルゲートチューブ４の端部を位置決めロックした状態になる。
【００５２】
次いで、図４に示すように、Ｕバンド部２０は動かないように、Ｕバンド部２０の下面をサポートして第１の蓋部１３を閉じて、雌型の第１の蓋閉じ手段２２ａ〜２６ａと雄型の第１の蓋閉じ手段２２ｂ〜２６ｂとをそれぞれ嵌合ロックさせる。この場合、ヒンジ部１５が折り曲げられる線とヒンジ部３１は折り曲げられる線とが一直線上にあるので、第２の蓋部１４も第１の蓋部１３と一体に回動し、回動しないようにサポートしているＵバンド部２０に重なることになり、バンドロック手段３２ａ，３２ｂを嵌合ロックさせる。これにより、電線群２の水平方向に曲がる曲がり部を第１の曲がり部用保護部１１と第１の蓋部１３とで保護することができ、また、第２の蓋部１４とＵバンド部２０とが第２のコルゲートチューブ４の端部を挟持した状態になる。
【００５３】
第１の蓋部１３を閉じる際に、もしも、Ｕバンド部２０は動かないようにサポートしなければ、第１の蓋部１３を閉じる回動の動作が第２の蓋部１４とＵバンド部２０に伝わるから、Ｕバンド部２０で受け止めていた第２のコルゲートチューブ４の端部が落下してしまうことになるので、第１の蓋部１３を閉じる際に、Ｕバンド部２０は動かないようにサポートすることは必要な作業となる。
【００５４】
次いで、第５図に示すように、第２の蓋部１４を第１の蓋部１３に対して下側へ折り曲げると、第２の蓋部１４が第２の曲がり部用保護部１２の開口を閉じることになり、Ｕバンド部２０の下側で第３の係止部３３が第２のコルゲートチューブ４の端部を重ねてロックし、雌型の第２の蓋閉じ手段２７ａ〜３０ａと雄型の第２の蓋閉じ手段２７ｂ〜３０ｂとをそれぞれ嵌合ロックさせる。これによって、電線群２が第２の曲がり部用保護部１２の電線群収容空間１２ａ内に収容される。もって、第２の曲がり部用保護部１２と第２の蓋部１４とが、電線群２の下側に曲がる曲がり部を保護することになる。
【００５５】
以上説明したように、本実施の形態にかかるワイヤハーネス１は、電線群２の立体的に曲げり配索される曲がり部の保護について、平面方向に曲がる第１の曲がり部２ａの保護に続いて下方向に曲がる第２の曲がり部２ｂを下方向に曲げずに平面展開状態で位置決めし、その後に下方向に曲げて保護することができ、図板上の置き換え作業を省略することができる。
【００５６】
（第２の実施の形態）
【００５７】
図６は、第２の実施の形態に係るワイヤハーネスに係るプロテクタ１０Ａを示す平面図である。
【００５８】
図６に示すように、プロテクタ１０Ａは、上述した図１〜図４に基づいて説明した第１の実施の形態に係るプロテクタ１０の構成と略同一であるので、第１の実施の形態に係るプロテクタ１０の構成と同一の構成については、同一の符号を付してその説明は省略し、特有の構成のみを説明する。
【００５９】
本実施の形態に係るプロテクタ１０Ａは、第２の蓋部１４Ａに備える第２の係止部２１Ａが第１の実施の形態に係るプロテクタ１０の第２の係止部２１と比べて、相違している。
【００６０】
第２の係止部２１Ａは、第２の蓋部１４Ａに切り欠きにより構成されるテープ巻用係止部として設けられている。第２の蓋部１４Ａには、第２の係止部２１Ａよりも第１の蓋部１３に若干寄った位置に第２のコルゲートチューブ４の端部を確認するための確認窓３４Ａが設けられている。
【００６１】
このプロテクタ１０Ａを備えたワイヤハーネスを図板上で製作するには、図板上の所定位置にプロテクタ１０Ａを設置し、第１の実施の形態の場合と同様にして電線群を配索し、第１の蓋部１３を閉じることにより、プロテクタ１０Ａの第１の曲がり部用保護部１１と第１の蓋部１３とで電線群の第１の曲がり部を保護する。
【００６２】
次いで、第１の蓋部１３を閉じたことにより、反転して水平に張り出す（図４参照）第２の蓋部１４の下面に、第２のコルゲートチューブをあてがい、第２のコルゲートチューブを第２の係止部２１Ａに抱き合わせた状態にテープ巻きしてテープ巻用係止部を形成する。これにより、第２のコルゲートチューブの軸方向の移動が不能になり、プロテクタ１０Ａにおける水平側の端部における電線群の位置決めが行える。次いで、第１の実施の形態の場合と同様に、第２の蓋部１４Ａを折り下げて第２の曲がり部用保護部１２に閉じ合わせ、ロックする（図５参照）。
【００６３】
（第３の実施の形態）
【００６４】
図７は、第３の実施の形態のワイヤハーネスに係るプロテクタ１０Ｂを示す斜視図である。
【００６５】
図７に示すように、プロテクタ１０Ｂの構成は、第１の実施の形態に係るプロテクタ１０の構成と略同一であるので、第１の実施の形態に係るプロテクタ１０の構成と同一の構成については、同一の符号を付してその説明は省略し、特有の構成のみを説明する。
【００６６】
プロテクタ１０Ｂは、第１の曲がり部用保護部１１Ｂに第１の係止部１９Ｂおよび確認窓３５Ｂが設けられ、第２の蓋部１４Ｂに第２の係止部２１Ｂおよび確認窓３４Ｂが設けられている。第１の係止部１９Ｂおよび第２の係止部２１Ｂは、第２の実施の形態に係る第２の係止部２１Ａと同様に、電線群をテープ巻きにより係止するテープ巻用係止部として設けられている。
【００６７】
このプロテクタ１０Ｂを備えたワイヤハーネスによれば、第１の曲がり部用保護部１１Ｂに電線群を収容するとともに、第１の係止部１９Ｂにおいて、電線群をテープ巻きすることにより、電線群２の軸方向の移動が不能になる。第１の蓋部１３を閉じてロックし、反転状態に水平に張り出す（図４参照）第２の蓋部１４Ｂの下面に第２のコルゲートチューブをあてがい、第２のコルゲートチューブを第２の係止部２１Ｂに抱き合わせた状態にテープ巻きしてテープ巻用係止部を形成する。これにより、第２のコルゲートチューブの軸方向の移動が不能になり、プロテクタ１０Ｂにおける水平側の端部における電線群の位置決めが行える。次いで、第１の実施の形態の場合と同様に、第２の蓋部１４Ｂを折り下げて第２の曲がり部用保護部１２に閉じ合わせ、ロックする（図５参照）。
【００６８】
（その他の実施の形態）
本発明は、上記の実施の形態に限定されるものでなく、特許請求の範囲に記載された本発明の技術的範囲には、発明の要旨を逸脱しない範囲内で種々、設計変更した形態が含まれる。
【００６９】
上述した第１〜第３の実施の形態では、いずれも電線群がプロテクタで保護される箇所で分かれていない例を示しているが、電線群がプロテクタで保護される箇所で分かれていてもよい。そのような場合には、第１の曲がり部用保護部が電線群の分岐形状に対応した形状に形成されるとともに、第１の蓋部についても、第１の曲がり部用保護部の開口を閉じるように対応した形状に形成されるものである。
【００７０】
上述した第１〜第３の実施の形態では、いずれも電線群に第１，第２のコルゲートチューブを被せ、第１，第２のコルゲートチューブの各端部を第１，第２の係止部で係止しているが、本発明は、第３の実施の形態のプロテクタを用いて電線群をテープ巻きにより係止した構成のワイヤハーネスを含む。
【００７１】
本発明によれば、電線群の立体的に曲がって配索される曲がり部の保護について、平面方向に曲がる曲がり部の保護に続いて下方向に曲がる曲がり部を下方向に曲げずに平面展開状態で位置決めし、その後に下方向に曲げて保護することができ、図板上の置き換え作業を省略することができるという効果を有し、プロテクタおよびワイヤハーネス全般に有用である。
【符号の説明】
【００７２】
１  ワイヤハーネス
３  第１のコルゲートチューブ
４  第２のコルゲートチューブ
１０，１０Ａ，１０Ｂ  プロテクタ
１１，１１Ｂ  第１の曲がり部用保護部
１２  第２の曲がり部用保護部
１３  第１の蓋部
１４，１４Ａ，１４Ｂ  第２の蓋部
１５  ヒンジ部
１７ａ，１７ｂ  第１の蓋閉じ手段
１８ａ，１８ｂ  第２の蓋閉じ手段
１９，１９Ｂ  第１の係止部
２０  Ｕバンド部
２１，２１Ａ，２１Ｂ  第２の係止部
２２ａ〜２６ａ，２２ｂ〜２６ｂ  第１の蓋閉じ手段
２７ａ〜３０ａ，２７ｂ〜３０ｂ  第２の蓋閉じ手段
【図１】
2016119740.tif 000003
【図２】
2016119740.tif 000004
【図３】
2016119740.tif 000005
【図４】
2016119740.tif 000006
【図５】
2016119740.tif 000007
【図６】
2016119740.tif 000008
【図７】
2016119740.tif 000009
【図８】
2016119740.tif 000010
【図９】
2016119740.tif 000011